(57)【特許請求の範囲】
【請求項１】
携帯端末装置であって、
せりの出品者へ発行される出品票に印刷された、せりの出品物に割り当てられた識別情報を読み取って、前記識別情報を入力する入力部と、
前記携帯端末装置の現在位置を表す位置情報を取得する取得部と、
外部装置と通信を行うための通信部と、
前記取得部に前記位置情報を取得させ、前記入力部による前記識別情報の入力を契機に、前記通信部に、前記位置情報を前記識別情報と共に前記外部装置へ送信させる制御を実行する制御部と、
を備えていることを特徴とする携帯端末装置。
【請求項２】
前記制御部は、前記入力部が前記識別情報を入力した場合に、前記通信部を用いて、前記識別情報と前記位置情報を自動的に前記外部装置へ送信させる、
ことを特徴とする請求項１記載の携帯端末装置。
【請求項３】
前記出品物は、せりに出品された中古車である、
ことを特徴とする請求項１記載の携帯端末装置。
【請求項４】
携帯端末装置に、
せりの出品者へ発行される出品票に印刷された、せりの出品物に割り当てられた識別情報を読み取らせて、前記識別情報を入力させ、
前記携帯端末装置の現在位置を表す位置情報を取得させ、
前記識別情報の入力を契機に、通信部を用いて、前記識別情報、及び取得させた前記位置情報を、送信すべき外部装置へ送信させる、
ことを特徴とする位置情報提供方法。
【請求項５】
携帯端末装置に、
せりの出品者へ発行される出品票に印刷された、せりの出品物に割り当てられた識別情報を読み取らせて、前記識別情報を入力させ、
前記携帯端末装置の現在位置を表す位置情報を取得させ、
前記識別情報の入力を契機に、通信部を用いて、前記識別情報、及び取得させた前記位置情報を、送信すべき外部装置へ送信させる、
処理を実行させることを特徴とするプログラム。
【発明の詳細な説明】
【技術分野】
【０００１】
本発明は、広い範囲内の任意の位置に置かれる中古車等のせりの出品物を管理するための技術に関する。
【背景技術】
【０００２】
せり会場のなかには、非常に多くの出品物が出品されるところがある。例えば中古車を出品物としてせりを行うせり会場では、１日に数千〜数万台の中古車を扱うのが普通である。そのため、このようなせり会場には、出品物である中古車を駐車させるための広い駐車場が用意されるのが普通となっている。
【０００３】
落札された中古車は、その中古車の落札者が持ち帰るのが普通である。落札した中古車を広い駐車場のなかから落札者が探し出すのは非常に面倒であり、時間もかかる。落札者に、駐車場所を出品者等に確認させるのも不便である。このようなことから、落札者、及び出品者の利便性を考慮するならば、せり会場側（例えばせりを行うためのせりシステム側）に、落札者が自身の落札した中古車の駐車位置を確認できる仕組みを用意させるのが望ましいと思われる。
【０００４】
中古車の駐車位置を落札者等が確認できるようにするには、駐車位置を表す情報（以降「駐車位置情報」と表記）を登録して閲覧可能にすれば良い。しかし、中古車は、通常、出品者がその中古車を出品物として登録させた後、駐車場のなかで空いている任意の場所に駐車させるのが普通である。そのため、駐車位置情報を登録する担当者をせり会場側が配置し、中古車を駐車した出品者が、その中古車の駐車位置を担当者に伝えてもらうことが考えられる。
【０００５】
そのように出品者に駐車位置を伝えてもらう方法では、出品者は、中古車を駐車させた後、担当者が居る場所まで移動して、その駐車位置を伝えなければならない。それにより、出品者に面倒な手間をかけさせることになる。また、出品者が駐車位置を正確に伝えられるとは限らない。せり会場側にとっては、出品台数が多いことから、或る程度の担当者を確保する必要がある。より多くの人を必要とすることにより、せりの開催コストは増大する。このようなことから、駐車位置を出品者に伝えさせることは、出品者、及びせり会場側の双方にとって望ましくないと思われる。
【０００６】
出品者自身に駐車位置情報を登録させることも考えられる。しかし、その方法には、出品者が駐車位置情報を正確に登録しない可能性が比較的に高いと思われる。具体的には、駐車位置を誤って憶える、入力ミスをする、或いは（面倒なことから）登録を行わない、等の可能性がある。このことから、出品者自身に駐車位置情報を登録させることも望ましくないと思われる。
【０００７】
駐車位置情報の登録には、上記のような不具合を考慮するのが望ましいと思われる。つまり、駐車位置情報の登録は、出品者の手間、及び開催コストを共に抑えつつ、適切に行えるようにすることが重要と思われる。これは、広い範囲内の任意の場所に出品物を置く場合に共通していると云える。
【先行技術文献】
【特許文献】
【０００８】
【特許文献１】特開２０１３−１８２３５２号公報
【特許文献２】特開２０１２−１９６１０６号公報
【発明の概要】
【発明が解決しようとする課題】
【０００９】
１側面では、本発明は、出品者の手間、及び開催コストを共に抑えつつ、出品物（中古車等）の場所を表す位置情報を適切に登録できるようにする技術を提供することを目的とする。
【課題を解決するための手段】
【００１０】
本発明を適用した１装置は、対象物に割り当てられた識別情報を表す印刷物を読み取って、識別情報を入力する入力部と、現在位置を表す位置情報を取得する取得部と、外部装置と通信を行うための通信部と、取得部に位置情報を取得させ、入力部による識別情報の入力を契機に、位置情報を識別情報と共に通信部に送信させる制御を実行する制御部と、を備えている。
【発明の効果】
【００１１】
本発明を適用した装置では、出品者の手間、及び開催コストを共に抑えつつ、出品物（中古車等）の場所を表す位置情報を適切に登録させることができる。
【図面の簡単な説明】
【００１２】
【図１】本実施形態による携帯端末装置であるスマートフォンの機能構成例を説明する図である。
【図２】本実施形態による携帯端末装置であるスマートフォンのハードウェア構成例を説明する図である。
【図３】出品される中古車の扱いを説明する図である。
【図４】出品票の１例を表す図である。
【図５】出品物データベースの構成例を説明する図である。
【図６】位置情報変換テーブルの構成例を説明する図である。
【図７Ａ】本実施形態による携帯端末装置であるスマートフォンの画面遷移例を説明する図である。
【図７Ｂ】本実施形態による携帯端末装置であるスマートフォンの画面遷移例を説明する図である（続き）。
【図８】位置情報登録処理のフローチャートである。
【発明を実施するための形態】
【００１３】
以下、本発明の実施形態について、図面を参照しながら詳細に説明する。
図１は、本実施形態による携帯端末装置であるスマートフォンの機能構成例を説明する図である。図２は、本実施形態による携帯端末装置であるスマートフォンのハードウェア構成例を説明する図である。
【００１４】
本実施形態による携帯端末装置であるスマートフォン１について説明する前に、図３〜図６を参照し、そのスマートフォン１が用いられる環境、及びその用途について具体的に説明する。
【００１５】
図１では、スマートフォン１のネットワーク３を介した通信対象としてせりシステム２を表している。このせりシステム２は、出品物として中古車を扱うせり会場が構築したせり用のシステムである。このせりシステム２とスマートフォン１を接続するネットワーク３は、例えばせり会場側が構築したネットワーク、或いは携帯電話網、及びインターネットを含むネットワーク群である。
【００１６】
このせり会場では、出品物である中古車３１は、図３に表す撮影室３０でせり用の各種データのせりシステム２への登録が行われ、図４に表す出品票５が発行される。発行された出品票５は、出品者に渡され、出品者は、出品票５を受け取り、中古車３１を駐車場３５内の空いている場所に移動させる。
【００１７】
図４は、出品票の１例を表す図である。
この出品票５は、出品された中古車３１の状態を確認し、その中古車のせりに必要な各種データを登録（入力）する担当者によって作成される書類である。せりの参加者（応札者）が判断の参考となるように、中古車３１の写真が撮影され、その写真もデータの１つとして登録される。出品された各中古車３１には、識別情報として出品番号が割り当てられ、その出品番号を表すバーコード５１が出品票５に貼り付けられる。
【００１８】
中古車３１のせりでは、１日に多くの中古車３１がせりにかけられるのが普通である。そのため、このせり会場でも、多くの中古車３１を駐車できるように、広い駐車場３５が用意されている。対象とする中古車３１を落札者等がより容易に探し出せるように、駐車場３５は複数（ここでは８つ）のブロック３６Ａ〜３６Ｈに分けられている。以降、特定する必要のないようなブロックは「ブロック３６」と表記する。
【００１９】
落札者は、通常、落札した中古車３１を持ち帰る。本実施形態では、落札した中古車３１を落札者がより容易に探し出せるように、その中古車３１の駐車場所を表す位置情報をせりシステム２に登録するようにしている。本実施形態では、その位置情報の登録に、携帯端末装置として主にスマートフォン１を想定している。図１に表す機能構成例は、位置情報の登録に着目した構成例である。
【００２０】
出品される中古車３１では、盗難を防止するために、ナビゲーション装置、及びオーディオ機器等の付属機器は取り外されるのが普通である。そのため、位置情報の登録に、中古車３１に搭載された付属機器を用いることはできないと想定する必要がある。位置情報の登録のために、出品者に専用の装置等を所持させるようにすると、その専用の装置を多く用意しなければならない。出品台数を考慮すると、その専用の装置を用意するには非常にコストがかかる。このことから、本実施形態では、コストを抑えるために、出品者の全員、或いは殆どの出品者が携帯していると想定される携帯端末装置を位置情報の登録に用いることを想定している。
【００２１】
位置情報の登録に用いる携帯端末装置には、その位置情報の登録のために開発したアプリケーション（図２に表す位置登録アプリケーション１０９ｂ）を実行させるようにしている。位置情報の取得自体は、駐車場３５の各ブロック３６に、その位置情報を表し、携帯端末装置が認識できるマーク等を配置することで実現させることが可能である。しかし、マーク等の配置にもコストがかかる。このことから、本実施形態では、携帯端末装置に求められる条件として、アプリケーションが追加可能であることの他に、位置情報を自身で取得できる、つまり現在位置を測位できることを加えている。そのような条件から、本実施形態では、携帯端末装置として、主にスマートフォン１を想定している。携帯端末装置は、アプリケーションの追加、及び測位が可能であれば、スマートフォン１に限定されない。例えば、携帯端末装置は、タブレット型、或いはノート型等の情報処理装置であっても良い。位置情報を表すマークを読み取らせても良いことから、位置情報取得方法も特に限定されない。
【００２２】
登録する位置情報は、中古車３１と対応付ける必要がある。出品番号は、中古車３１によって異なる識別情報であり、その出品番号は、全て、或いは殆どのスマートフォン１が認識可能なバーコード５１の形で出品票５上に表されている。バーコード５１の読み取りによってスマートフォン１に認識（入力）される出品番号は、バーコード５１を読み取らせる出品票５を出品者が間違えない限り、誤入力されない。そのため、出品番号の誤入力は発生し難いと云える。このようなことから、本実施形態では、バーコード５１の読み取りによる出品番号の入力（認識）を契機に、位置情報を取得させ、取得した位置情報を出品番号と共にスマートフォン１に送信させるようにしている。そのように出品番号、及び位置情報を送信させることにより、適切な位置情報の登録をより確実に行わせることができる。
【００２３】
せりシステム２は、基本的に従来と同じ構成のシステムである。そのため、図１には、位置情報の登録に特に関係するノードとして、データベース（ＤＢ）サーバ２１、入力端末装置２２、及び検索端末装置２３のみを表している。
【００２４】
せりシステム２では、位置情報の登録はデータベース（ＤＢ）サーバ２１によって行われる。そのＤＢサーバ２１のアクセス可能な補助記憶装置２１０上には、中古車３１のせりのために参照されるＤＢ（以降「出品物ＤＢ」と表記）２１１が構築されている。位置情報の登録は、出品物ＤＢ２１１に必要な情報の格納によって行われる。その補助記憶装置２１０上には、出品物ＤＢ２１１への情報の格納に用いられる位置情報変換テーブル（ファイル）２１２が保存されている。
【００２５】
図５は、上記出品物ＤＢの構成例を説明する図である。
図５に表すように、出品物ＤＢ２１１の各レコード（エントリ）には、出品番号、年式、メーカ、車種、スタート価格、希望価格、車両番号、及び位置情報を含む出品物データが格納される。
【００２６】
出品番号は、上記のように、出品された中古車３１に担当者によって割り当てられた識別情報である。年式は、その中古車３１が最初に登録された年を表している。メーカは、その中古車３１を製造したメーカを表している。車種は、その中古車３１の車の種類を表している。スタート価格は、その中古車３１のせりで最初に提示される価格を表している。希望価格は、その中古車３１の出品者が希望する最低価格を表し、その希望価格以上とならなかった場合、流札となる可能性がある。車両番号は、その中古車３１に製造時に割り当てられた識別情報である。位置情報は、スマートフォン１から受信した位置情報によって特定される駐車場３５内のブロック３６を表す情報である。スマートフォン１が送信する位置情報と区別するために、以降、出品物ＤＢ２１１のエントリに格納される位置情報は「エリア情報」と表記する。
【００２７】
出品物データ中のエリア情報以外の全て、或いは大部分は、撮影室３０等に配置される入力端末装置２２によって格納される。それにより、入力端末装置２２は、せりに係わる各種データの入力（登録）に用いられる。
【００２８】
図６は、上記位置情報変換テーブルの構成例を説明する図である。
この位置情報変換テーブル２１２は、スマートフォン１から受信した位置情報をエリア情報に変換するためのテーブルであり、担当者によってＤＢサーバ２１に保存され、必要に応じて更新される。この位置情報変換テーブル２１２には、駐車場３５に含まれるブロック３６毎にエントリ（レコード）が登録されている。各エントリには、開始緯度、終了緯度、開始経度、終了経度、及びエリア情報の各データが格納されている。
【００２９】
開始緯度、終了緯度、開始経度、及び終了経度の各位置情報は、エリア情報、つまり対応するブロック３６の範囲を表す情報（以降「形状情報」と表記）である。それにより、ＤＢサーバ２１は、受信した位置情報を参照して、その位置情報によって表される点を内部に含む範囲を特定し、対応するブロック３６を認識する。
【００３０】
なお、図６に表す４つの位置情報（形状情報）によって表される範囲（エリア）は、その範囲の形状が矩形であり、その矩形の各辺が東西方向、或いは南北方向に平行、或いはほぼ平行であることを想定している。その想定で各ブロック３６の境界を定めるのは望ましくない場合がある。このことから、形状情報は、ブロック３６の頂点毎に、その頂点の緯度情報、及び経度情報を含む情報としても良い。形状情報も特に限定されない。スマートフォン１から受信した位置情報をそのまま登録し、登録した位置情報によって特定される場所を希望者に提示しても良い。
【００３１】
検索端末装置２３は、出品された中古車３１のエリア情報を確認できる端末装置である。エリア情報の確認は、例えば出品番号、或いは車両番号等の識別情報を指定して行うことができる。
【００３２】
ＤＢサーバ２１は、出品番号、或いは車両番号等の識別情報を含む検索コマンドが検索端末装置２３から受信した場合、その識別情報を含むエントリを特定し、特定したエントリ中のエリア情報を応答として返信する。それにより、中古車３１の駐車場所の確認を希望する人は、検索端末装置２３を用いて、その駐車場所をブロック３６単位で確認することができる。
【００３３】
上記のように、図１に表すスマートフォン１は、出品される中古車３１の駐車場所を表す情報として位置情報を取得し、取得した位置情報をその中古車３１の出品番号と共にせりシステム２に送信するために用いられる。そのために、スマートフォン１は、登録制御部１１、バーコード入力部１２、表示部１３、ＧＰＳ（Global Positioning System）通信部１４、及び通信部１５を備えている。
【００３４】
バーコード入力部１２は、出品票５上のバーコード５１を読み取り、そのバーコード５１が表す情報を入力（認識）する。表示部１３は、表示すべき情報（画像データ）を生成して表示させる。ＧＰＳ通信部１４は、信号を受信可能なＧＰＳ衛星から信号を受信して、現在位置を測位することにより、位置情報を取得する。通信部１５は、ネットワーク３を介したせりシステム２のＤＢサーバ２１との通信を可能にする。
【００３５】
登録制御部１１は、バーコード入力部１２、表示部１３、ＧＰＳ通信部１４、及び通信部１５を制御する。その結果、バーコード入力部１２によるバーコード５１の読み取り、つまり出品番号の入力、表示部１３による各種情報の表示、ＧＰＳ通信部１４による現在位置の測位、通信部１５を介した位置情報と出品番号の送信が実現される。
【００３６】
スマートフォン１は、図２に表すように、ハードウェアとして、ディスプレイ１０１、タッチスクリーン１０２、ＧＰＳ測位モジュール１０３、カメラモジュール１０４、インターフェース（図２中「Ｉ／Ｆ」と表記）１０５、ＲＦ（Radio Frequency）回路１０６、アンテナ１０７、ＣＰＵ（Central Processing Unit）１０８、補助メモリ１０９、メインメモリ１１０、及び各部１０１〜１０６、１０８〜１１０を接続するバス１１１を備えている。この構成は１例であり、スマートフォン１の構成は特に限定されない。
【００３７】
ディスプレイ１０１は、各種情報の表示に用いられる表示装置である。タッチスクリーン１０２は、ディスプレイ１０１を覆うように取り付けされた入力装置である。
【００３８】
ＧＰＳ測位モジュール１０３は、ＧＰＳ衛星４から送信される信号を受信して、現在位置を測位するモジュールである。図１に表すＧＰＳ通信部１４は、このＧＰＳ測位モジュール１０３である。
【００３９】
カメラモジュール１０４は、被写体の静止画、或いは動画を撮影可能なモジュールである。出品票５上のバーコード５１の読み取りは、このカメラモジュール１０４を用いて行われる。インターフェース１０５は、ケーブルを介した外部装置との通信を可能にさせる通信モジュールである。
【００４０】
ＲＦ回路１０６は、アンテナ１０７を介した無線通信を可能にさせる通信モジュールである。ネットワーク３を介したせりシステム２との通信には、このＲＦ回路１０６が用いられる。
【００４１】
ＣＰＵ１０８は、スマートフォン１全体を制御する。その制御のために、補助メモリ１０９上のＯＳ（Operating System）１０９ａは、メインメモリ１１０に読み出され、ＣＰＵ１０８によって実行される。例えば、この補助メモリ１０９は、不揮発性メモリであり、メインメモリは揮発性メモリである。
【００４２】
上記のように、補助メモリ１０９には、位置登録アプリケーション１０９ｂが格納されている。この位置登録アプリケーション１０９ｂは、ディスプレイ１０１、ＧＰＳ測位モジュール１０３、カメラモジュール１０４、及びＲＦ回路１０６を制御して、出品番号、及び位置情報のせりシステム２のＤＢサーバ２１への送信を実現させる。位置登録アプリケーション１０９ｂの起動、及び終了は、携帯者がタッチスクリーン１０２への操作によって指示することができる。
【００４３】
位置登録アプリケーション１０９ｂは、出品票５上のバーコード５１の読み取りを行う場合、カメラモジュール１０４に指示して、画像入力を行わせ、入力された画像中のバーコード５１の抽出、及び認識を行わせる。バーコード５１の抽出、及び認識は、例えばＯＳ１０９ａ、或いはそのＯＳ１０９ａによって起動される専用のアプリケーションによって行われ、位置登録アプリケーション１０９ｂは、その認識結果をＯＳ１０９ａから受け取る。このことから、バーコード入力部１２は、例えばカメラモジュール１０４、ＣＰＵ１０８、補助メモリ１０９、及びメインメモリ１１０によって実現される。
【００４４】
位置登録アプリケーション１０９ｂは、バーコード５１の認識結果（出品番号）を受け取ることを契機に、ＧＰＳ測位モジュール１０２に測位を指示する。それにより、位置登録アプリケーション１０８ｂは、ＧＰＳ測位モジュール１０２から出力される位置情報を受け取る。このようなことから、ＧＰＳ通信部１４は、例えばＧＰＳ測位モジュール１０２である。
【００４５】
位置登録アプリケーション１０９ｂは、位置情報を受け取ると、その位置情報を出品番号と共に、ＲＦ回路１０６を介して送信させる。位置情報、及び出品番号の送信先（例えばＵＲＬ（Uniform Resource Locater））は、例えば位置登録アプリケーション１０９ｂが参照するデータとして補助メモリ１０９に保存されており、位置登録アプリケーション１０９ｂは、そのデータで指定された送信先に出品番号、及び位置情報を送信させる。通信部１５は、例えばＲＦ回路１０６、及びアンテナ１０７によって実現される。
【００４６】
位置登録アプリケーション１０９ｂは、ディスプレイ１０１上に、携帯者に対して伝達すべき情報等を表示させる。ディスプレイ１０１上に表示させる情報の選択、及びその情報の表示のための画像データの生成は、位置登録アプリケーション１０９ｂによって行われる。このことから、表示部１３は、例えばディスプレイ１０１、ＣＰＵ１０８、補助メモリ１０９、及びメインメモリ１１０によって実現される。
【００４７】
登録制御部１１は、バーコード入力部１２、表示部１３、ＧＰＳ通信部１４、及び通信部１５を制御、つまりカメラモジュール１０３、ディスプレイ１０１、ＧＰＳ測位モジュール１０３、及びＲＦ回路１０６を制御する。このことから、登録制御部１１は、例えばＣＰＵ１０８、補助メモリ１０９、及びメインメモリ１１０によって実現される。
【００４８】
図７Ａ、及び図７Ｂは、本実施形態による携帯端末装置であるスマートフォンの画面遷移例を説明する図である。図７Ａ、及び図７Ｂに表す画面遷移例は、１台の中古車３１を処理するまでの間、つまり１つの出品票５のバーコード５１の読み取りから、位置情報を送信したせりシステム２からの応答を受信するまでの間に表示される画面７０の変化を表している。ここでは、遷移する画面７０として、計７つの画面７０−１〜７０−７を表している。
【００４９】
画面７０−１は、バーコード５１の読み取りを携帯者に促すための画面である。位置登録アプリケーション１０９ｂの起動後は、この画面７０−１が表示される。この画面７０−１には、携帯者に伝達すべき情報を伝達するための汎用エリア７１、及び認識した出品番号を表示するための番号表示エリア７２が配置されている。
【００５０】
位置登録アプリケーション１０９ｂは、画面７０−１を表示させた後、カメラモジュール１０４に画像の読み取りを指示し、画面７０−１に代わって画面７０−２を表示させる。この画面７０−２は、読み取られた画像を携帯者に確認させるための画面であり、配置された汎用エリア７１内に、読み取られた画像が表示される。
【００５１】
携帯者がバーコード５１を適切に読み取らせることにより、そのバーコード５１が表す出品番号が認識される。位置登録アプリケーション１０９ｂは、出品番号が認識されると、画面７０−３に遷移させる。その画面７０−３では、汎用エリア７１にはバーコード５１の読み取りが終了した旨を伝達するためのメッセージ（図７Ａ中「バーコード読取完了」と表記）が表示され、番号表示エリア７２には認識された出品番号が表示される。
【００５２】
位置登録アプリケーション１０９ｂは、画面７０−３を表示させた後、ＧＰＳ測位モジュール１０３に指示して、測位を行わせる。その測位の指示に合わせて、画面７０−４に遷移させる。その画面７０−４には、汎用エリア７１、及び番号表示エリア７２の他に、取得された位置情報を表示するための位置情報表示エリア７３が配置されている。汎用エリア７１には、位置情報を取得中である旨を伝達するためのメッセージ（図７Ａ中「位置情報取得中」と表記）が表示される。
【００５３】
位置情報の取得が完了すると、位置登録アプリケーション１０９ｂは、取得された位置情報を位置情報エリア７３に表示させた画面７０−５を表示させる。この画面７０−５では、汎用エリア７１には位置情報の取得が完了した旨のメッセージ（図７Ｂ中「位置情報取得完了」と表記）が表示される。
【００５４】
位置登録アプリケーション１０９ｂは、画面７０−５を表示させた後、位置情報と出品番号を指定の送信先（せりシステム２のＤＢサーバ２１）に送信させる。そのため、位置登録アプリケーション１０９ｂは、位置情報による登録をＤＢサーバ２１に行わせている旨を表すメッセージ（図７Ｂ中「位置情報登録中」と表記）が汎用エリア７１に表示された画面７０−６に遷移させる。
【００５５】
出品番号と位置情報を受信したＤＢサーバ２１は、受信した位置情報を用いて、位置情報変換テーブル２１２を参照し、その位置情報が表す場所を含むブロック３６、つまりエリア情報を特定する。ＤＢサーバ２１は、特定したエリア情報を、出品物ＤＢ２１１のエントリのなかで受信した出品番号を有するエントリに格納する。ＤＢサーバ２１は、位置情報等を送信したスマートフォン１に対し、エリア情報の登録が完了した旨を表す応答を送信する。本実施形態では、その応答に、ＤＢサーバ２１が特定したエリア情報を格納させるようにしている。
【００５６】
そのような応答が受信された場合、位置登録アプリケーション１０９ｂは、エリア情報の表示用である登録結果エリア７４を配置した画面７０−７に遷移させる。図７Ｂでその登録結果エリア７４に表記の「Ｂ」は、駐車させた中古車３１で登録されたエリア情報がＢブロック３６Ｂであることを表している。
【００５７】
画面７０−７の表示により、１台の中古車３１に対するエリア情報の登録のための処理が完了する。携帯者（出品車）は、複数台の中古車３１を出品している可能性がある。このことから、本実施形態では、位置登録アプリケーション１０９ｂに、再び画面７０−１を表示させるようにしている。それにより、携帯者は、必要な台数分、中古車３１のエリア情報の登録を連続して行うことができる。
【００５８】
図８は、位置情報登録処理のフローチャートである。この位置情報登録処理は、位置登録アプリケーション１０９ｂをＣＰＵ１０８が実行することで実現される処理である。図８では、理解をより容易とするために、位置情報が送信されるＤＢサーバ２１がその位置情報の受信によって実行する処理を併せて表している。エリア情報の特定は、適切に行われると想定している。次に図８を参照し、位置情報登録処理について詳細に説明する。
【００５９】
位置登録アプリケーション１０９ｂの実行を開始したＣＰＵ１０８は、先ず、カメラモジュール１０４に画像の読み取りを指示し、そのカメラモジュール１０４が出力する画像を対象にしたバーコード５１の認識を開始させる（Ｓ１１）。ＣＰＵ１０８は、ディスプレイ１０２に、画面７０−１を表示させる。
【００６０】
次に、ＣＰＵ１０８は、位置登録アプリケーション１０９ｂを終了させる操作が行われたか否か判定する（Ｓ１２）。タッチスクリーン１０２等に対し、携帯者が位置登録アプリケーション１０９ｂの終了を指示するための操作を行った場合、Ｓ１２の判定はＹＥＳとなり、ここで位置情報登録処理、つまり位置登録アプリケーション１０９ｂが終了する。そのような操作を携帯者が行っていない場合、Ｓ１２の判定はＮＯとなってＳ１３に移行する。
【００６１】
Ｓ１３では、ＣＰＵ１０８は、バーコード５１が認識されたか否か判定する。ＯＳ１０９ａからバーコード５１の認識結果が通知された場合、Ｓ１３の判定はＹＥＳとなってＳ１４に移行する。その認識結果が通知されない場合、Ｓ１３の判定はＮＯとなり、上記Ｓ１２に戻る。それにより、携帯者が位置登録アプリケーション１０９ｂの終了を指示するか、或いはバーコード５１が認識するまで、Ｓ１２、及びＳ１３によって形成される処理ループが実行される。この処理ループの実行時、ＣＰＵ１０８は、画面７０−２をディスプレイ１０２に表示させる。
【００６２】
Ｓ１４では、ＣＰＵ１０８は、カメラモジュール１０４による画像の読み取りを停止させ、ディスプレイ１０２に画面７０−３を表示させる。次に、ＣＰＵ１０８は、ＧＰＳ測位モジュール１０３に測位を指示し、ディスプレイ１０２に画面７０−４を表示させる（Ｓ１５）。その後、ＣＰＵ１０８は、ＧＰＳ測位モジュール１０３から測位による位置情報を入力するのを待って、入力した位置情報を出品番号と共にＤＢサーバ２１に送信する（Ｓ１６）。ＣＰＵ１０８は、位置情報を入力した後、ＧＰＳ測位モジュール１０３に測位の停止を指示し、ディスプレイ１０２に画面７０−５、画面７０−６を順次、表示させる。
【００６３】
ＤＢサーバ２１は、スマートフォン１から出品番号と位置情報を受信すると、上記のように、受信した位置情報を用いて、位置情報変換テーブル２１２を参照し、その位置情報が表す場所を含むブロック３６、つまりエリア情報を特定する。ＤＢサーバ２１は、特定したエリア情報を、出品物ＤＢ２１１のエントリのなかで受信した出品番号を有するエントリに格納し、そのエリア情報を格納した応答をスマートフォン１に送信する（以上Ｓ２１）。
【００６４】
エリア情報が格納された応答の受信により、Ｓ１７に移行する。そのＳ１７では、ＣＰＵ１０８は、応答に格納されているエリア情報を登録結果エリア７４に配置した画面７０−７をディスプレイ１０２に表示させる。その後は上記Ｓ１１に戻る。それにより、ＣＰＵ１０８は、画面７０−７を消去し、再度、画面７０−１をディスプレイ１０２に表示させる。
【００６５】
なお、本実施形態では、消費電力量を抑えるために、カメラモジュール１０４、及びＧＰＳ測位モジュール１０３は必要に応じて動作させるようにしているが、そのように一時的に動作させなくとも良い。つまり、カメラモジュール１０４、及びＧＰＳ測位モジュール１０３のうちの少なくとも一方を、位置登録アプリケーション１０９ｂを実行している間、動作させても良い。これは、カメラモジュール１０４、及びＧＰＳ測位モジュール１０３のうちの少なくとも一方を継続して動作させた場合、バーコード５１の読み取りから位置情報の送信までに要する時間をより短縮させることが可能だからである。ＧＰＳ測位モジュール１０３を継続して動作させる場合、バーコード５１の認識時、或いはその認識時の前後に得られた位置情報を送信させれば良い。
【００６６】
また、本実施形態では、ブロック３６単位で中古車３１の駐車位置を希望者に提示するようにしているが、ブロック３６を複数のサブブロックに分割し、サブブロック単位で駐車位置を提示するようにしても良い。駐車位置の提示は、ブロック３６（或いはサブブロック）を表す情報の提供の他に、地図等に駐車位置を表すことで行っても良い。このようなことからも、スマートフォン１から受信した位置情報をそのまま登録させなくとも良い。
【００６７】
本実施形態では、出品票５上のバーコード５１を読み取らせるようにしている。これは、現在、使用している出品票５を活用し、コスト増をより抑えるためである。しかし、スマートフォン１に読み取らせることを想定した別の書類、或いはＩＣ（Integrated Circuit）タグ等を用意するようにしても良い。このことから、読み取らせる対象も印刷物でなくとも良い。印刷物であっても、バーコード５１以外の対象を読み取らせるようにしても良い。
【符号の説明】
【００６８】
１    スマートフォン
２    せりシステム
３    ネットワーク
４    ＧＰＳ衛星
５    出品票
１１    登録制御部
１２    バーコード入力部
１３    表示部
１４    ＧＰＳ通信部
１５    通信部
２１    ＤＢサーバ
２２    入力端末装置
２３    検索端末装置
５１    バーコード
１０１    ディスプレイ
１０２    タッチスクリーン
１０３    ＧＰＳ測位モジュール
１０４    カメラモジュール
１０６    ＲＦ回路
１０７    アンテナ
１０８    ＣＰＵ
１０９    補助メモリ
１０９ａ    ＯＳ
１０９ｂ    位置登録アプリケーション
１１０    メインメモリ
１１１    バス
２１０    補助記憶装置
２１１    出品物ＤＢ
２１２    位置情報変換テーブル
【図１】
0006306990.tif 000002
【図２】
0006306990.tif 000003
【図３】
0006306990.tif 000004
【図４】
0006306990.tif 000005
【図５】
0006306990.tif 000006
【図６】
0006306990.tif 000007
【図７Ａ】
0006306990.tif 000008
【図７Ｂ】
0006306990.tif 000009
【図８】
0006306990.tif 000010